(57)【要約】【課題】カセットおよび／またはスライドガラスの捕集装置における使用が可能であり、同時に、捕集されたカセットおよび／またはスライドガラスの確実な搬送が可能なよう、ボードを構成すること。【解決手段】ボード（１）を、２つの長辺（４）と第１短辺（５）と第２短辺（６）とを有する長方形に構成し、ボード底面（７）をスライドガラス（３）および／またはカセット（２）の受けとして構成し、双方の長辺（４）および第１短辺（５）に側壁（８）を設ける。【選択図】　図１
2004029012.tif 000002
【特許請求の範囲】
【請求項１】
標本のためのカセットおよび／またはスライドガラスを受容するボードであって、ボード（１）が、２つの長辺（４）と第１短辺（５）と第２短辺（６）とを有する長方形に構成されており、スライドガラス（３）および／またはカセット（２）の受けとしての底面（７）を有し、双方の長辺（４）および第１短辺（５）に側壁（８）を有することを特徴とするボード。
【請求項２】
複数のボード（１）を積み重ねるため、各ボード（１）には、ノーズ（９）が形成してあり、上記ノーズ（９）に対応して、ボード（１）にミゾ（１０）が配設してあり、ボード（１）の底面（７）が、開口部（１１）を有し、ボード（１）の第２短辺（６）には、レリーズラグ（１２）が設けてあり、該レリーズラグ（１２）が、底面（７）の下方に配置されていることを特徴とする請求項１のボード。
【請求項３】
ボード（１）の第２短辺（６）には、２つのストッパ（１３）が設けてあることを特徴とする請求項１又は２に記載のボード。
【請求項４】
ボード（１）の底面（７）が、少なくとも１つのせり上がった部分底面（７ａ）および少なくとも１つのより低い部分底面（７ｂ）に分割する少なくとも１つの段差（１４）を有し、ボード（１）が、一体の合成樹脂射出成形部材として構成され、プリントずみのカセット（２）および／またはスライドガラス（３）の捕集装置に配設されることを特徴とする請求項１〜３のいずれかに記載のボード。
【請求項５】
双方の短辺（５，６）の長さが、スライドガラス（３）および／またはカセット（２）の長辺（１５）よりも大きく設計されており、双方の短辺（５，６）の長さが、スライドガラス（３）および／またはカセット（２）の長辺の対角線（１６）よりも小さく設計されていることを特徴とする請求項１〜４のいずれかに記載のボード。
【発明の詳細な説明】
【０００１】
【発明の属する技術分野】
本発明は、カセットおよび／またはスライドガラスを受容するボードに関し、特に組織学的または細胞学的標本のためのカセットおよび／またはスライドガラスを受容するボードに関する。
【０００２】
【従来の技術】
従来からカセットないしスライドガラスをまとめて受容するボードの必要がある。
【０００３】
【発明が解決しようとする課題】
未公開の特許出願ＤＥ１０１１５０６５．２（対応日本出願２００２−８５３６２＝特開２００２−３６５１８４）には、プリント系（システムないし装置）において組織学的または細胞学的標本のためのカセットおよび／またはスライドガラスを受容するボードが記載されている。このプリント系は、インク噴射式プリンタによってコンピュータ制御でカセットおよび／またはスライドガラスにプリントを行い、この塗布されたインクを閃光（フラッシュ）装置によって乾燥することを特徴とする。閃光装置には、プリントずみカセットおよび／またはプリントずみスライドガラスを取除く除去（ないし排出）装置が続いている。上記日本出願の全記載事項は引用をもって、本書に繰込み援用する。
【０００４】
この除去装置は、カセットおよび／またはスライドガラスを捕集する装置を含むよう構成できる。この種の捕集装置は、未公開のドイツ特許出願“組織学的または細胞学的標本のためのカセットおよび／またはスライドガラスを捕集する装置”に記載されている。この出願の場合、プリントずみのカセットおよび／またはスライドガラスを捕集しプリント系（システムないし装置）から取出すため、ボードを使用する。
【０００５】
次いで、以降の処理のために、ボード上に捕集したカセットおよび／またはスライドガラスをボードに載せて実験室に搬送する。
【０００６】従って、本発明の課題は、第１の視点において、この種のプリント系のための捕集装置における使用が可能であり、同時に、捕集されたカセットおよび／またはスライドガラスの確実な搬送が可能なよう、ボード（ないし盆状の受け具）を構成することにある。本発明の更なる視点において、できる限り自動的で且つ効果的で、トラブルのない捕集及び送給を保証することも意図する。
【０００７】
【課題を解決するための手段】
この課題は、本発明にもとづき、請求項１の特徴記載部分に開示の特徴によって解決される。即ち、ボードは、２つの長辺と第１短辺と第２短辺とを有する長方形に構成されている。ボードは、スライドガラス（被検試料支持体）および／またはカセットの受けとしての底面を有する。さらにボードは双方の長辺および第１短辺に側壁を有する［態様１・基本構成］。
【０００８】
本発明の有利な実施の態様は、従属請求項の対象である。以下に略説する。
［態様２］複数のボードを積み重ねるため、各ボードには、ノーズが形成してあり、上記ノーズに対応して、ボードにミゾが配設してあり、ボードの底面が、開口部を有し、ボードの第２短辺には、レリーズラグが設けてあり、該レリーズラグが、底面の下方に配置されていることを特徴とする。
［態様３］ボードの第２短辺には、２つのストッパが設けてあることを特徴とする。
［態様４］　ボードの底面が、少なくとも１つのせり上がった部分底面および少なくとも１つのより低い部分底面に分割する少なくとも１つの段差を有し、ボードが、一体の合成樹脂射出成形部材として構成され、プリントずみのカセットおよび／またはスライドガラスの捕集装置に配設されることを特徴とする。
［態様５］　双方の短辺の長さが、スライドガラスおよび／またはカセットの長辺よりも大きく設計されており、双方の短辺の長さが、スライドガラスおよび／またはカセットの長辺の対角線よりも小さく設計されていることを特徴とする。
【０００９】
【発明の実施の形態】
本発明は、ボードが、２つの長辺と第１短辺と第２短辺とを有する長方形に構成されていることを特徴とする。底面は、スライドガラスおよび／またはカセットの受けを形成する。双方の長辺および１つの短辺には、囲みを形成するよう延在する側壁が設けてある。他の短辺は、この短辺側からスライドガラスおよび／またはカセットをボードに挿入できるよう、開放状態に構成されている。
【００１０】
本発明の一実施形態において、長辺の側壁には、ノーズが形成してある。ボードは、更に、（積上げた場合に下段のボードに）形成された上記ノーズが嵌合されるミゾを（ノーズの下部に）有し、かくして、上記ミゾおよびノーズによって複数のボードを積み重ね得るよう構成できる。この場合、カセットおよびスライドガラスを受容するボードもカセットのみまたはスライドガラスのみを受容するボードも、結合を介して、積み重ね得るよう構成できる。
【００１１】
本発明の他の実施態様において、ボードの底面は、外部のセンサによって開口を介してボードの充填レベルを検知するのに役立つ開口部、例えば円形開口を有する。
【００１２】
本発明の一展開形態において、ボードは、開放短辺に、光電系（ないし位置センサ系）に係合（ないし作用）でき光電系を介してボードの位置を検知するのに役立つレリーズラグを有する。
【００１３】
特殊な構成として、レリーズラグは、底面の下方に配置されており、かくして、光電系の配置によって、ボードへのスライドガラスおよび／またはボードの移行位置を調節できる。
【００１４】
ボードの第２短辺、即ち、開放短辺には、実験室への搬送時にスライドガラスおよび／またはカセットの脱落を阻止する２つ（一対）のストッパが設けてある。
【００１５】
本発明の他の実施態様において、ボードの底面には段差が設けてあり、かくして、底面は、より高い部分（せり上り部分）およびより低い部分に分割される。これは、蓋を取付けたカセットに特に有利であり、即ち、この場合、低い方の底面が、カセットの受けを形成し、高い方の底面が、カセットの蓋の受けを形成する。この場合、段の高さは、約６ｍｍであればよい。
【００１６】
ボードの側壁に段部を設ければ、薄いスライドガラスをボードからより簡単に引出すことができる。低い方の底面の範囲において、スライドガラスを単に押圧し、かくして、スライドガラスを高い方の受け底面から外し、次いで、引出すことができる。この場合、段差が約１〜３ｍｍであれば、全く十分である。
【００１７】
本発明の特殊な一構成において、ボードは、一体の合成樹脂射出成形部材として構成されている。この場合、ボードは、縦方向の大きさが３５ｃｍ以下であり且つ短辺の大きさが１０ｃｍ以下であるよう、設計できる。
【００１８】
本発明の実施態様において、カセットおよび／またはスライドガラスを捕集する装置にボードを使用する。この場合、捕集装置は、プリント装置の構成部分であってもよい。
【００１９】
本発明の特殊な一構成において、（ボードの）双方の短辺の長さは、スライドガラスおよび／またはカセットの長辺よりも大きく設計し、同時に、（ボードの）双方の短辺の長さは、スライドガラスおよび／またはカセットの長辺の対角線よりも小さく設計する。かくして、特に有利な態様で、ボードにスライドガラスおよび／またはカセットを装着する際、十分な間隙が得られ、更に、ボードの搬送時、スライドガラスおよび／またはカセットの脱落が有効に阻止される。ボードが搬送時に傾動した際、スライドガラスおよび／またはカセットは、それぞれ対角線方向へ対向する一対の角が斜めにこじれて、ボードの長辺の側壁に当って固定される。角の鋭いスライドガラスの場合には特に、ボードを垂直に保持しても、スライドガラスがボードから落下することはない。
【００２０】
【実施例】
略図を参照して、本発明の２つの実施例を詳細に説明する。なお、以下の実施例は、発明の理解を容易にするためのものであって、本発明の技術的思想を逸脱しない範囲において当業者により実施可能な修正・変更等を排除することは意図しない。また、特許請求の範囲に付した図面参照符号も発明の理解の容易化のために過ぎず、本発明を図示の態様に限定することを意図しない。この点に関しては、補正・訂正後においても同様である。
【００２１】
図１に、スライドガラス３を載せたボード１の一実施例の斜視図を示した。ボード１は、長方形に構成され、２つの長辺４と第１短辺５と第２短辺６と底面７を有する。双方の長辺４および第１短辺５には、囲みをなすよう３辺に亘り延在する側壁８が設けてある。底面７は、段（差）１４（図４）によって、スライドガラス３の受けとしての１つのより高い底面部分（せり上り部）７ａおよび２つのより低い底面部分７ｂに分割されている。
【００２２】
ボード１の第２短辺６には、高い方の底面部分７ａに（長手方向に）形成したレリーズラグ１２が設けてあり、上記ラグの下面は、低い方の底面部分７ｂの下面と同一の平面にあり、上記ラグの上面は、高い方の底面部分７ａの下面と同一の平面にある。
【００２３】
更に、高い方の底面部分７ａは、ボード１の搬送時に取付けたスライドガラスの脱落を阻止する２つのストッパ１３を第２短辺６の外端部に有する。
【００２４】
ボード１の底面７には、貫通開口部たる円形開口１１が各ボードの同一位置に設けてあり、ボード積層時に貫通開口部が形成され、上記開口部を介して、センサによってスライドガラス３またはボード１の全体を検知できる。
【００２５】
囲みをなす側壁８には、４つのノーズ９およびこれに対応して４つのミゾ１０が設けてある。ノーズ９およびミゾ１０の係合によって、複数のボード１を積み重ねることができる。
【００２６】
図２に、側壁８、側壁に形成されたノーズ９および側壁に設けたミゾ１０を含む、図１のボードの側面図を示した。
【００２７】
図３に、長辺１５および対角線１６を有するスライドガラス３を載せたボード１を示した。ボード１の第１短辺５および第２短辺６の長さを対角線１６の長さよりも小さく選択した場合は、スライドガラスの対角線方向へ互いに対向する一対の角は、囲みをなす側壁８に当って固定阻止され、かくして、ボード搬送時、スライドガラス３が脱落することはない。
【００２８】
図４に、図３矢視断面Ａ−Ａに沿うボード１の断面図を示した。双方の段（差）１４によって、より高い１つの底面部分（せり上り部）７ａおよびより低い２つの底面部分７ｂが形成される。高い方の底面部分７ａは、スライドガラスの受け（載置面）を形成し、この場合、スライドガラスの両端部は、低い方の底面部分７ｂに浮いた状態で突出する。関連の低い方の底面部分７ｂに対しスライドガラスの一端部を押して傾けることによって、スライドガラスの他端部が上昇し各スライドガラスを（つまんで）簡単に取出す（取上げる）ことができる。
【００２９】
図５に、カセット２（図８）のためのボード１の一実施例の斜視図を示した。この場合、底面７は、段（差）１４によって、より高い底面部分７ａおよびより低い底面部分７ｂに２分割されるている。低い方の底面部分７ｂは、（この底面部分７ｂに対する寸法の）カセットの受けとして役立ち、高い方の底面部分７ａは、カセットに形成された蓋１７（図８）（開いた状態）の受けとして役立つ。
【００３０】
この場合、レリーズラグ１２は、低い方の底面部分７ｂの平面に形成されている。
【００３１】
図６に、側壁８、側壁に形成されたノーズ９および側壁に設けたミゾ１０を含む、図５のボードの側面図を示した。
【００３２】
図７に、段（差）１４によって分割された双方の底面部分７ａ，７ｂを含むボード１を示した。
【００３３】
図８に、載せたカセット２および形成された蓋１７を含む、図７の矢視Ａ−Ａ断面に沿うボードの断面図を示した。同図から明らかな如く、カセット２は、低い方の底面部分７ｂ上に載り、蓋１７は、高い方の底面部分７ａ上に載っている。
【００３４】
カセットおよびスライドガラスのためのボードの図示して説明した双方の実施例は、特に、夫々カセットおよびスライドガラスの各所定形状ないし寸法に最適化されている。しかしながら、もちろん、場合によっては蓋を備えたカセットをスライドガラスのためのボードに捕集することができ、あるいは、スライドガラスをカセットのためのボードに捕集することもできる。特にカセットの形状，寸法は、各標本の必要に応じ変更されうるので、ボードの形状、寸法も対応して変更されることになる。
【００３５】
【発明の効果】
本発明の第１の視点において、基本構成（請求項１）によりその課題が達成される。即ち、プリントシステム等の捕集装置として使用でき、捕集したカセットないしスライドガラスの確実な搬送が可能なボードが提供される。各従属請求項により、さらに付加的な効果がえられる。即ち、スライドガラスに特化したボード、或いは蓋付きカセットのためのボード等夫々の必要に応じたボードが実施される。
【図面の簡単な説明】
【図１】スライドガラスを載せたボードの一実施例の斜視図である。
【図２】図１のボードの側面図である。
【図３】スライドガラスを載せたボードの一実施例の平面図である。
【図４】図３の矢視Ａ−Ａ断面に沿うボードの断面図である。
【図５】カセットのためのボードの一実施例の斜視図である。
【図６】図５のボードの側面図である。
【図７】図５のボードの平面図である。
【図８】カセットを載せた、図７の矢視Ａ−Ａ断面に沿うボードの断面図である。
【符号の説明】
１　　ボード
２　　カセット
３　　スライドガラス
４　　長辺
５　　第１短辺
６　　第２短辺
７　　底面
７ａ　より高い底面部分
７ｂ　　より低い底面部分
８　　側壁
９　　ノーズ
１０　　ミゾ
１１　　開口（部）
１２　　レリーズラグ
１３　　ストッパ
１４　　段（差）
１５　　スライドガラスの長辺
１６　　スライドガラスの対角線
１７　　　蓋
【図１】
2004029012.tif 000003
【図２】
2004029012.tif 000004
【図３】
2004029012.tif 000005
【図４】
2004029012.tif 000006
【図５】
2004029012.tif 000007
【図６】
2004029012.tif 000008
【図７】
2004029012.tif 000009
【図８】
2004029012.tif 000010